(57)【要約】【課題】スクリーン本体の側縁部が軸方向に位置ズレすることなく当該スクリーン本体を巻き取ることができるスクリーン装置を提供すること。【解決手段】スクリーン装置としてのロール網戸は、巻取軸１３Ａに巻き取られたネット本体２０に形成された被ガイド部３０と、被ガイド部３０をガイドするガイドレールとを備える。被ガイド部３０は、ファスナーエレメント３１と、ファスナーテープ３２と、フラットな当接面３３Ａを有した当接部３３とを有する。ファスナーエレメント３１はガイドレールのガイド溝に配置される。当接部３３は、ネット本体２０が巻取軸１３Ａに断面渦巻き状に巻き取られた巻取状態で、被ガイド部３０のうちファスナーエレメント３１を除く部分であって巻取軸１３Ａの軸方向Ａに直交する軸直交方向Ｂに重なる部分に当接面３３Ａが当接する配置とされている。【選択図】図５
2018080535.tif 000002
【特許請求の範囲】
【請求項１】
巻取軸と、前記巻取軸に繰出し可能に巻き取られたスクリーン本体と、前記スクリーン本体の繰出し方向に沿った側縁部に形成された被ガイド部と、前記被ガイド部を前記繰出し方向に沿ってガイドするガイドレールとを備え、
前記ガイドレールは、ガイド溝を形成し、
前記被ガイド部は、前記ガイド溝に配置された抜止め部と、前記抜止め部を前記スクリーン本体に接続した接続部と、フラットな当接面を有した当接部とを有し、
前記当接部は、前記スクリーン本体が前記巻取軸に断面渦巻き状に巻き取られた巻取状態で、前記被ガイド部のうち前記抜止め部を除く部分であって前記巻取軸の軸方向に直交する軸直交方向に重なる部分に前記当接面が当接する配置とされている
ことを特徴とするスクリーン装置。
【請求項２】
請求項１に記載のスクリーン装置において、
前記巻取状態にある前記被ガイド部の前記軸直交方向における中心位置間の幅寸法は、前記抜止め部のうち前記中心位置間に配置された部分の前記軸直交方向における幅寸法の合計以上の寸法とされている
ことを特徴とするスクリーン装置。
【請求項３】
請求項１または請求項２に記載のスクリーン装置において、
前記当接部は、前記ガイド溝外に配置されている
ことを特徴とするスクリーン装置。
【請求項４】
請求項１または請求項２に記載のスクリーン装置において、
前記当接部は、前記ガイド溝内に配置されている
ことを特徴とするスクリーン装置。
【請求項５】
請求項１から請求項４のいずれか一項に記載のスクリーン装置において、
前記接続部は、前記スクリーン本体の側縁部に取り付けられたファスナーテープによって構成され、
前記抜止め部は、前記ファスナーテープの外側縁に配置されたファスナーエレメントによって構成され、
前記当接部は、前記ファスナーテープの両面のうち少なくとも一方の面に沿って配置されている
ことを特徴とするスクリーン装置。
【請求項６】
請求項１から請求項５のいずれか一項に記載のスクリーン装置において、
前記当接部は、可撓性を有したシート部材によって形成されている
ことを特徴とするスクリーン装置。
【請求項７】
巻取軸と、前記巻取軸に繰出し可能に巻き取られたネット本体と、前記ネット本体の繰出し方向に沿った側縁部に形成された被ガイド部と、前記被ガイド部を前記繰出し方向に沿ってガイドするガイドレールとを備え、
前記ガイドレールは、ガイド溝を形成し、
前記被ガイド部は、前記ガイド溝に配置された抜止め部と、前記抜止め部を前記ネット本体に接続した接続部と、フラットな当接面を有した当接部とを有し、
前記当接部は、前記ネット本体が前記巻取軸に断面渦巻き状に巻き取られた巻取状態で、前記被ガイド部のうち前記抜止め部を除く部分であって前記巻取軸の軸方向に直交する軸直交方向に重なる部分に前記当接面が当接する配置とされている
ことを特徴とするロール網戸。
【発明の詳細な説明】
【技術分野】
【０００１】
本発明は、スクリーンを繰出しおよび巻取可能なスクリーン装置およびロール網戸に関する。
【背景技術】
【０００２】
従来、巻取軸に対して防虫ネットを繰出しおよび巻取自在に構成された巻取式の防虫網戸が知られている（特許文献１参照）。
この防虫網戸は、前記巻取軸を内蔵した巻取りボックスと、巻取ボックスの両端部から延びた一対のスクリーンガイドと、防虫ネットの左右の側縁部に取り付けられた係合用小突起とを備えており、係合用小突起は、スクリーンガイドに沿って移動可能であるとともに、スクリーンガイドに設けられたスリットの内縁に抜止状態に係合されている。
【先行技術文献】
【特許文献】
【０００３】
【特許文献１】実登２５２７３３０号公報
【発明の概要】
【発明が解決しようとする課題】
【０００４】
ところで、特許文献１に記載の巻取式の防虫網戸では、防虫ネットを巻取軸に巻き取った際に係合用小突起同士が押し付けあうことで、防虫ネットの左右両側端部の巻取位置が軸方向に位置ズレするおそれがある。
【０００５】
本発明の目的は、スクリーン本体の側縁部が軸方向に位置ズレすることなく当該スクリーン本体を巻き取ることができるスクリーン装置およびロール網戸を提供することにある。
【課題を解決するための手段】
【０００６】
本発明のスクリーン装置は、巻取軸と、前記巻取軸に繰出し可能に巻き取られたスクリーン本体と、前記スクリーン本体の繰出し方向に沿った側縁部に形成された被ガイド部と、前記被ガイド部を前記繰出し方向に沿ってガイドするガイドレールとを備え、前記ガイドレールは、ガイド溝を形成し、前記被ガイド部は、前記ガイド溝に配置された抜止め部と、前記抜止め部を前記スクリーン本体に接続した接続部と、フラットな当接面を有した当接部とを有し、前記当接部は、前記スクリーン本体が前記巻取軸に断面渦巻き状に巻き取られた巻取状態で、前記被ガイド部のうち前記抜止め部を除く部分であって前記巻取軸の軸方向に直交する軸直交方向に重なる部分に前記当接面が当接する配置とされていることを特徴とする。
【０００７】
本発明のスクリーン装置によれば、スクリーン本体を巻取軸に巻き取る際に被ガイド部も巻き取られ、当接部は、その当接面が軸直交方向に重なる被ガイド部の部分（抜止め部を除く）に当接する。このため、スクリーン本体を巻取軸に巻き取った際に、抜止め部同士が押し付けあうことを抑制でき、スクリーン本体の巻取位置が軸方向に位置ズレするおそれをなくすことができる。
【０００８】
本発明のスクリーン装置では、前記巻取状態にある前記被ガイド部の前記軸直交方向における中心位置間の幅寸法は、前記抜止め部のうち前記中心位置間に配置された部分の前記軸直交方向における幅寸法の合計以上の寸法とされていることが好ましい。
このような構成によれば、スクリーン本体の巻取状態で、被ガイド部の軸直交方向における中心位置間の幅寸法が、抜止め部のうち前記中心位置間に配置された部分の軸直交方向における幅寸法を合計した寸法よりも小さくなることがないので、抜止め部同士が押し付けあうことを抑制できる。
また、例えば、被ガイド部の軸直交方向における中心位置間の幅寸法が、抜止め部のうち前記中心位置間に配置された部分の軸直交方向における幅寸法を合計した寸法よりも大きい場合には、被ガイド部の抜止め部間に間隔を形成できる。これにより、前記巻取状態で抜止め部同士が当たることがないので、抜止め部同士が押し付けあうことを、より確実に抑制できる。
【０００９】
本発明のスクリーン装置では、前記当接部は、前記ガイド溝外に配置されていることが好ましい。
このような構成によれば、当接部がガイド溝内に配置された場合よりもガイドレールを小型化できる。
【００１０】
本発明のスクリーン装置では、前記当接部は、前記ガイド溝内に配置されていることが好ましい。
このような構成によれば、被ガイド部の抜止め部とともに当接部をガイド溝内に収めることで、シンプルな外観を構成できる。
【００１１】
本発明のスクリーン装置では、前記接続部は、前記スクリーン本体の側縁部に取り付けられたファスナーテープによって構成され、前記抜止め部は、前記ファスナーテープの外側縁に配置されたファスナーエレメントによって構成され、前記当接部は、前記ファスナーテープの両面のうち少なくとも一方の面に沿って配置されていることが好ましい。
このような構成によれば、ファスナーエレメントおよびファスナーテープを被ガイド部として利用した場合でも、当接部を設けることで、スクリーン本体の巻取状態でファスナーエレメント同士が押し付けあって位置ズレすることを抑制できる。
【００１２】
本発明のスクリーン装置では、前記当接部は、可撓性を有したシート部材によって形成されていることが好ましい。
このような構成によれば、スクリーン本体を巻き取る際にシート部材を撓めて巻き取ることができ、スクリーン本体を軽い力で巻き取ることができる。
【００１３】
本発明のロール網戸は、巻取軸と、前記巻取軸に繰出し可能に巻き取られたネット本体と、前記ネット本体の繰出し方向に沿った側縁部に形成された被ガイド部と、前記被ガイド部を前記繰出し方向に沿ってガイドするガイドレールとを備え、前記ガイドレールは、ガイド溝を形成し、前記被ガイド部は、前記ガイド溝に配置された抜止め部と、前記抜止め部を前記ネット本体に接続した接続部と、フラットな当接面を有した当接部とを有し、前記当接部は、前記ネット本体が前記巻取軸に断面渦巻き状に巻き取られた巻取状態で、前記被ガイド部のうち前記抜止め部を除く部分であって前記巻取軸の軸方向に直交する軸直交方向に重なる部分に前記当接面が当接する配置とされていることを特徴とする。
【００１４】
本発明のロール網戸によれば、前述した本発明のスクリーン装置と同様の作用効果を発揮できるロール網戸を構成できる。
【発明の効果】
【００１５】
本発明によれば、スクリーン本体の側縁部が軸方向に位置ズレすることなく当該スクリーン本体を巻き取ることができるスクリーン装置およびロール網戸を提供できる。
【図面の簡単な説明】
【００１６】
【図１】本実施形態に係るロール網戸を示す縦断面図。
【図２】前記実施形態に係るロール網戸を示す横断面図。
【図３】前記実施形態に係るロール網戸のネットおよびガイドレールを示す斜視図。
【図４】前記実施形態に係るロール網戸のネットおよび巻取軸を示す斜視図。
【図５】前記実施形態に係るロール網戸の要部の巻取状態を示す模式図。
【図６】本発明の変形例に係るロール網戸の要部を示す模式図。
【図７】本発明の他の変形例に係るロール網戸の要部を示す模式図。
【図８】本実施形態に係るロール網戸の当接部の作成例を示す説明図。
【発明を実施するための形態】
【００１７】
［本実施形態の構成］
以下、本発明の実施形態を図面に基づいて説明する。
図１，２において、本実施形態に係るスクリーン装置としてのロール網戸１は、建物の外壁開口部に固定される窓の窓枠に取り付けられるものである。ロール網戸１は、窓枠に固定される網戸枠１１（枠体）と、網戸枠１１の内部にて左右に開閉自在に設けられるネット１２（スクリーン）とを備えて構成されている。
【００１８】
網戸枠１１は、収納ケース１３と、当接枠１４と、上レール枠１５と、下レール枠１６とを備えている。
収納ケース１３の内部には、ネット１２の端部が固定されて当該ネット１２を巻き取る巻取軸１３Ａが設けられ、図示しないバネによって巻取軸１３Ａが巻取方向に付勢されることで、ネット１２が収納ケース１３内に収納されるようになっている。
【００１９】
ネット１２は、経糸２１と緯糸２２とが格子状に平織りされた網材であるネット本体２０（スクリーン本体）と、ネット本体２０の繰出し方向に沿った上下の側縁部に形成された被ガイド部３０と、ネット本体２０における閉鎖方向側の先端縁に設けられる可動框２４とを備えている。
経糸２１および緯糸２２の線径は、例えば０．０５ｍｍ〜０．３０ｍｍの範囲で設定されてもよく、ネット本体２０の各編目の開口幅は０．５ｍｍ〜１．５ｍｍの範囲で設定されてもよい。このようなネット本体２０では、経糸２１および緯糸２２の線径が細くなるほど、捩れた場合に皺が生じやすくなる。なお、経糸２１および緯糸２２の交差部は融着されていてもよい。
【００２０】
上レール枠１５および下レール枠１６には、それぞれネット１２の被ガイド部３０を繰出し方向に沿って左右にスライド案内する樹脂製のガイドレール１７が設けられている。このようなネット１２は、開放方向である図２の左側に向かって可動框２４を操作し、巻取軸１３Ａにネット本体２０を巻き取らせるとともに、可動框２４を収納ケース１３に当接させることでネット１２が開放状態となる。一方、閉鎖方向である図２の右側に向かって可動框２４を操作し、収納ケース１３からネット本体２０を引き出すとともに、可動框２４を当接枠１４に当接させることで閉鎖状態となる。
【００２１】
上レール枠１５側のガイドレール１７は、図１に示すように、上レール枠１５に係合したベース部１７１と、ベース部１７１から垂下した二つの側片部１７２と、二つの側片部１７２の下端にそれぞれ連続したスリット形成片部１７３とを有しており、ベース部１７１、側片部１７２およびスリット形成片部１７３によってガイド溝１７Ａが形成されている。スリット形成片部１７３間にはガイド溝１７Ａの内部空間につながるスリットが形成されている。
下レール枠１６側のガイドレール１７は、上レール枠１５側のガイドレール１７と同様に形成されており、上下逆向きに配置されている。このため、側片部１７２はベース部１７１から立ち上げられ、側片部１７２の上端にスリット形成片部１７３が連続した配置とされている。
【００２２】
被ガイド部３０は、図３，４に示すように、抜止め部としてのファスナーエレメント３１と、ファスナーエレメント３１をネット本体２０に接続した接続部としてのファスナーテープ３２と、フラットな当接面３３Ａを有した当接部３３とを有している。
【００２３】
図３，４では、ファスナーエレメント３１をネット本体２０の上下の側縁部に沿った連続形状として示しているが、例えば、前記側縁部に沿って並んだ務歯によってファスナーエレメント３１が構成されてもよい。
ファスナーテープ３２は、テープ状に織ったポリエステルテープなどによって構成されており、ネット本体２０の上下の側縁部に溶着等によって接続されている。ファスナーテープ３２の外側縁には、ファスナーエレメント３１が配置されている。
当接部３３は、本実施形態では図３，４に示すように、ファスナーテープ３２の両面にそれぞれ貼り付けられた可撓性を有したシート部材としてのゴムシートによって構成されている。ここで採用されるゴムシートのゴム硬度は、一般的な軟質ゴムのゴム硬度９０度以下であり、例えば４０〜５０度、好ましくは４５度とされている。当接部３３は、ファスナーテープ３２の両面のうちファスナーエレメント３１から離間した位置に配置されている。
【００２４】
ファスナーエレメント３１は、ガイドレール１７のガイド溝１７Ａ内に配置されており、ファスナーテープ３２は、ガイド溝１７Ａからスリット形成片部１７３間のスリットを通ってガイド溝１７Ａ外に出されて配置されており、当接部３３は、ガイド溝１７Ａ外に配置されている。
【００２５】
ネット１２の面外方向におけるファスナーエレメント３１の幅寸法は、ガイドレール１７のスリットの幅寸法よりも大きい。ネット１２の面外方向におけるファスナーテープ３２の寸法（厚さ寸法）は、ガイドレール１７のスリットの幅寸法よりも小さい。ネット１２の面外方向における両当接部３３の寸法（厚さ寸法）とファスナーテープ３２の厚さ寸法とを合わせた寸法は、ネット１２の面外方向におけるファスナーエレメント３１の寸法以上であり、本実施形態ではファスナーエレメント３１の寸法よりも大きい。ファスナーエレメント３１から当接部３３までの間隔寸法は、ガイドレール１７のスリット形成片部１７３の厚さ寸法よりも大きい。
【００２６】
［本実施形態の動作］
以下、本実施形態に係るロール網戸１の動作について説明する。
図２に示す閉鎖状態から開放状態にするために可動框２４を左側に操作すると、巻取軸１３Ａが巻取方向に回転し、ネット１２が巻取軸１３Ａによって巻き取られて収納ケース１３内に収納される。ネット本体２０が巻取軸１３Ａに断面渦巻き状に巻き取られた巻取状態では、当接部３３は、図５に示すように、巻取軸１３Ａの軸方向Ａに直交する軸直交方向Ｂ（図５参照）に重なって当接面３３Ａ同士が当接する。
【００２７】
ここで、図５に示すように、巻取状態にある被ガイド部３０の軸直交方向Ｂにおける中心位置Ｃ間の幅寸法Ｗ１は、ファスナーエレメント３１のうち前記中心位置Ｃ間に配置された部分の軸直交方向Ｂにおける幅寸法Ｗ２の合計以上の寸法、本実施形態では前記幅寸法Ｗ２の合計よりも大きい寸法となっている。このため、巻取状態でファスナーエレメント３１同士が当接することがなく、当該ファスナーエレメント３１同士が押し付け合うことによる軸方向Ａへの位置ズレも生じることがない。従って、ファスナーエレメント３１同士の軸方向Ａへの位置ズレに起因してネット本体２０に皺などが発生することを抑制できる。
【００２８】
［本実施形態の効果］
（１）前記実施形態では、ロール網戸１は、巻取軸１３Ａと、巻取軸１３Ａに繰出し可能に巻き取られたネット本体２０と、ネット本体２０の繰出し方向に沿った側縁部に形成された被ガイド部３０と、被ガイド部３０を繰出し方向に沿ってガイドするガイドレール１７とを備え、ガイドレール１７は、ガイド溝１７Ａを形成し、被ガイド部３０は、ガイド溝１７Ａに配置されたファスナーエレメント３１と、ファスナーエレメント３１をネット本体２０に接続したファスナーテープ３２と、フラットな当接面３３Ａを有した当接部３３とを有し、当接部３３は、ネット本体２０が巻取軸１３Ａに断面渦巻き状に巻き取られた巻取状態で、被ガイド部３０のうちファスナーエレメント３１を除く部分であって巻取軸１３Ａの軸方向Ａに直交する軸直交方向Ｂに重なる部分に当接面３３Ａが当接する配置とされていることを特徴とする。
上記構成を有するため、ネット本体２０を巻取軸１３Ａに巻き取る際に被ガイド部３０も巻き取られ、当接部３３は、その当接面３３Ａが軸直交方向Ｂに重なる被ガイド部３０の部分（ファスナーエレメント３１を除く）、本実施形態では当接部３３の当接面３３Ａ同士が当接する。このため、ネット本体２０を巻取軸１３Ａに巻き取った際に、ファスナーエレメント３１同士が押し付けあうことを抑制でき、ネット本体２０の巻取位置が軸方向Ａに位置ズレするおそれをなくすことができる。
（２）巻取状態にある被ガイド部３０の軸直交方向Ｂにおける中心位置Ｃ間の幅寸法Ｗ１は、ファスナーエレメント３１のうち中心位置Ｃ間に配置された部分の軸直交方向Ｂにおける幅寸法Ｗ２の合計よりも大きい寸法とされている。
このため、ネット本体２０の巻取状態で、被ガイド部３０のファスナーエレメント３１間に間隔を形成できる。これにより、巻取状態でファスナーエレメント３１同士が当たることがないので、ファスナーエレメント３１同士が押し付けあうことを、より確実に抑制できる。
ここで、幅寸法Ｗ１が、ファスナーエレメント３１のうち中心位置Ｃ間に配置された部分の軸直交方向Ｂにおける幅寸法Ｗ２の合計と同じ寸法であっても、幅寸法Ｗ１が前記幅寸法Ｗ２の合計よりも小さくなっていないので、ファスナーエレメント３１同士が押し付けあうことを抑制できる。
（３）当接部３３は、ガイド溝１７Ａ外に配置されている。このため、当接部３３がガイド溝１７Ａ内に配置されている場合よりもガイドレール１７を小型化できる。
（４）ガイドレール１７からの抜け止め機能を発揮する抜止め部がファスナーエレメント３１によって構成され、ファスナーエレメント３１をネット本体２０に接続する接続部がファスナーテープ３２によって構成され、当接部３３はファスナーテープ３２の両面にそって配置されている。
このため、本実施形態のように、ファスナーエレメント３１およびファスナーテープ３２を被ガイド部３０に利用した場合でも、当接部３３を設けることで、ネット本体２０の巻取状態でファスナーエレメント３１同士が押し付けあって位置ズレすることを抑制できる。
（５）当接部３３は、可撓性を有したシート部材としてのゴムシートによって形成されている。このため、ネット本体２０を巻き取る際に当接部３３を撓めて巻き取ることができ、当接部３３を設けてもネット本体２０を軽い力で巻き取ることができる。
【００２９】
［変形例］
本発明は、以上の実施形態で説明した構成のものに限定されず、本発明の目的を達成できる範囲での変形例は、本発明に含まれる。
例えば、前記実施形態では、ファスナーテープ３２の両面に当接部３３をそれぞれ貼り付けて被ガイド部３０を構成しているが、これに限られない。
例えば図６（Ａ）に示すように、ファスナーテープ３２自体の厚さ寸法を大きくして当接部３３を構成してもよい。この場合、ファスナーテープ３２のうちスリット形成片部１７３間のスリットに配置される部分の厚さ寸法は大きくされずに小さい寸法のままとされる。
また、図６（Ｂ）に示すようにファスナーテープ３２の一方の面のみに当接部３３を設けてもよく、図６（Ｃ）に示すようにファスナーテープ３２の他方の面のみに当接部３３を設けてもよい。この場合には、当接部３３の当接面３３Ａは、巻取状態でファスナーテープ３２に当接する。
【００３０】
さらに、例えば図７（Ａ）に示すように、ファスナーテープ３２の片面に取り付けられた当接部３３の上下方向における幅寸法Ｗ３は、巻取状態で被ガイド部３０のファスナーエレメント３１を除く部分に重なることができる範囲で小さくてもよく、例えば１ｍｍ程度の寸法であってもよい。
また、図７（Ａ）に示す被ガイド部３０では、当接部３３はガイド溝１７Ａ外に配置されているが、これに限られず、図７（Ｂ）に示す被ガイド部３０のように、当接部３３がガイド溝１７Ａ内に配置されていてもよい。この場合には、被ガイド部３０のファスナーエレメント３１とともに当接部３３をガイド溝１７Ａ内に収めることで、シンプルな外観を構成できる。また、当接部３３がスリット形成片部１７３に当たることになるが、ファスナーエレメント３１が当接部３３を受け止めることによって抜止め機能を発揮する。
【００３１】
前記実施形態では、当接部３３をゴムシートによって構成したが、これに限定されず、ゴムシートによって構成される場合のほか、モヘアを用いてもよく、また、ホットメルト軟質樹脂（ゴム等）、反応性軟質樹脂（シリコーンシーラント等）を用いてもよい。
ホットメルト軟質樹脂や反応性軟質樹脂などの樹脂材をファスナーテープ３２に塗布する方法としては、例えば図８に示すように、カートリッジ４１内の樹脂材をノズル４２から押し出しながらファスナーテープ３２の長手方向に沿って引いて塗布する方法がある。当接部３３の断面形状はノズル４２のノズル口の形状に対応しているので、ノズル口の形状変更によって当接部３３の断面形状を適宜設定できる。
【００３２】
前記実施形態では、ガイドレール１７は樹脂製であるが、アルミ製の押出形材によって形成されていてもよい。
【００３３】
前記実施形態では、経糸２１と緯糸２２とが格子状に平織りされた網材であるネット本体２０をスクリーン本体としているが、これのほか、布地等の面材をスクリーン本体としてもよい。
【符号の説明】
【００３４】
１…ロール網戸（スクリーン装置）、１１…網戸枠、１２…ネット（スクリーン）、１３…収納ケース、１３Ａ…巻取軸、１４…当接枠、１５…上レール枠、１６…下レール枠、１７…ガイドレール、１７Ａ…ガイド溝、２０…ネット本体（スクリーン本体）、２１…経糸、２２…緯糸、２４…可動框、３０…被ガイド部、３１…ファスナーエレメント（抜止め部）、３２…ファスナーテープ（接続部）、３３…当接部、３３Ａ…当接面、１７１…ベース部、１７２…側片部、１７３…スリット形成片部、Ａ…軸方向、Ｂ…軸直交方向、Ｃ…中心位置、Ｗ１〜Ｗ３…幅寸法。
【図１】
2018080535.tif 000003
【図２】
2018080535.tif 000004
【図３】
2018080535.tif 000005
【図４】
2018080535.tif 000006
【図５】
2018080535.tif 000007
【図６】
2018080535.tif 000008
【図７】
2018080535.tif 000009
【図８】
2018080535.tif 000010